(57)【要約】【課題】  記録情報の長期保存に適し、かつ可搬又は携帯性が向上したハードディスク装置を安価に提供することを目的とする。【解決手段】  可搬または携帯可能な読み取り専用のハードディスク装置であって、ナノインプリントによる凹凸により情報が記録されたディスクと、搬送波を出力する発振回路と、前記搬送波が入力され、前記ディスクと間の静電容量を検出するための電極を含んで構成され前記静電容量に応じて共振周波数が変化することにより、前記搬送波をＡＭ変調してＡＭ変調波を出力する共振回路と、前記ＡＭ変調波を検波して前記静電容量を検出する検波回路とがストリップライン回路で表面に形成されたヘッドスライダと、前記ヘッドスライダを所定の位置に移動させるアーム機構と、前記アーム機構を駆動するＶＣＭコイルと、前記ディスクが固定され前記ディスクを回転させるスピンドルと、前記ＶＣＭコイルに電流を供給する電源回路と、を備えたことを特徴とする。【選択図】      図５
2006024318.tif 000002
【特許請求の範囲】
【請求項１】
記録及び／又は再生装置によって読み取り可能な可搬または携帯可能な読み取り専用のハードディスク装置であって、
ナノインプリントによる凹凸により情報が記録されたディスクと、
搬送波を出力する発信回路と、前記搬送波が入力され、前記ディスクと間の静電容量を検出するための電極を含んで構成され前記静電容量に応じて共振周波数が変化することにより、前記搬送波をＡＭ変調してＡＭ変調波を出力する共振回路と、前記ＡＭ変調波を検波して前記静電容量を検出する検波回路とがストリップライン回路で表面に形成されたヘッドスライダと、
前記記録及び／又は再生装置に設けられた１次側コイルとともにトランスを構成する２次側コイルと、前記２次側コイルからの電力を蓄積する充電式電池とを有する電源回路と、
前記ヘッドスライダを所定の位置に移動させるアーム機構と、
前記記録及び／又は再生装置に設けられた磁石と前記電源回路から供給される電流によって駆動され、前記アーム機構を駆動するＶＣＭコイルと、
前記ディスクが固定され、前記記録及び／又は再生装置に設けられたスピンドルモータによって非接触で駆動されるスピンドルと、
前記ディスクからの再生信号及びサーボ信号、前記ＶＣＭコイルへの駆動信号を前記記録及び／又は再生装置との間で送受信する通信部と、
を備えたことを特徴とするハードディスク装置。
【請求項２】
可搬または携帯可能な読み取り専用のハードディスク装置であって、
ナノインプリントによる凹凸により情報が記録されたディスクと、
搬送波を出力する発信回路と、前記搬送波が入力され、前記ディスクと間の静電容量を検出するための電極を含んで構成され前記静電容量に応じて共振周波数が変化することにより、前記搬送波をＡＭ変調してＡＭ変調波を出力する共振回路と、前記ＡＭ変調波を検波して前記静電容量を検出する検波回路とがストリップライン回路で表面に形成されたヘッドスライダと、
前記ヘッドスライダを所定の位置に移動させるアーム機構と、
前記アーム機構を駆動するＶＣＭコイルと、
前記ディスクが固定され前記ディスクを回転させるスピンドルと、
前記ＶＣＭコイルに電流を供給する電源回路と、
を備えたことを特徴とするハードディスク装置。
【請求項３】
前記ハードディスク装置は、記録及び／又は再生装置に装着可能であり、
前記ＶＣＭコイルは、前記記録及び／又は再生装置に設けられた磁石による外部磁界と、前記電源回路から供給される電流とにより駆動されることを特徴とする、請求項２に記載のハードディスク装置。
【請求項４】
前記スピンドルは、前記記録及び／又は再生装置に設けられたスピンドルモータによって非接触で駆動されることを特徴とする、請求項２又は３に記載のハードディスク装置。
【請求項５】
前記ディスクからの再生信号及びサーボ信号、前記ＶＣＭコイルへの駆動信号を前記記録及び／又は再生装置との間で送受信する通信部をさらに備え、
前記電源回路は、前記記録及び／又は再生装置から非接触で電力の供給を受けることを特徴とする、請求項２乃至４の何れかに記載のハードディスク装置。
【発明の詳細な説明】
【技術分野】
【０００１】
本発明は、ハードディスク装置、特に、可搬又は携帯可能なハードディスク装置に関する。
【背景技術】
【０００２】
携帯型のハードディスク装置は、ＤＶＤ（Digital Versatile Disc）、ブルーレイディスク（Blu-ray Disk）等の光ディスクに比較して大量の情報を携帯することができ、高速に情報を読み出すことができる。しかしながら、ハードディスク装置では、塵埃の侵入を防止するため、ディスク、ヘッドスライダ、ヘッドスライダを移動するアーム機構とともに密閉された構造を取る必要があり、部品点数が多いため、コストダウンが困難である。特に、十数ｎｍの距離でディスク表面に接近して記録情報を読み取るヘッドスライダは、高度な微細加工が必要であり高価であり、読み取った記録情報を検出する回路を別途アーム機構に実装する必要があり、ヘッドスライダ及び検出回路のコストダウンが困難であるという問題がある。
【０００３】
従来のヘッドの構成が、以下の特許文献１から４に記載されている。
【０００４】
特許文献１には、静電容量変化又は抵抗変化により記録媒体から情報を読み出すヘッドが記載されている。このヘッドは、導電体からなるプリズム形であり、ベースの稜を記録媒体に線接触させることにより、ヘッドの劣化を抑制している。
【０００５】
特許文献２には、静電容量変化により記録媒体から情報を読み取るヘッドが記載されている。タイミング発生回路、制御回路、複数のプローブ電極、及び各プローブ電極が装着されるカンチレバーをシリコン基板上に形成したヘッドが記載されている。
【０００６】
特許文献３には、ＡＦＭの原理又はプローブと記録媒体との間に流れる電流を検出することにより、記録媒体から情報を読み出すヘッドが記載されている。プローブは、カンチレバーと、カンチレバーの先端に設けられた探針とから構成されている。情報の読み出しは、記録媒体に高周波信号を印加しつつ、探針を記録媒体に接触させてこの信号を検出する。
【０００７】
特許文献４には、電極針と記録媒体との間の静電容量を検出することにより、記録媒体から情報を読み出す構成が記載されている。電極針は、導波管構造の外壁に配置されたピエゾ素子に針固定台を介して接続され、導波管構造の開口部から露出するように構成されている。また、導波管内には筐体が配置されており、筐体内には、電極針と記録媒体との間の静電容量の変化に応じて共振周波数が変化する共振回路、共振回路に入力する搬送波を発生させる発振回路、共振回路で変調された搬送波を検波する検波回路とが収納されている。共振回路と電極針とはリード線で接続されている。
【特許文献１】特開平１１−１７６０３３号公報（第４頁，第１図）
【特許文献２】特開平８−２４９７３５号公報（第３−５頁、第３図）
【特許文献３】特開平７−９８８９２号公報（第６，９頁、第１図）
【特許文献４】特開平８−３０９７０７号公報（第３−４頁，第１−２図）
【発明の開示】
【発明が解決しようとする課題】
【０００８】
しかしながら、特許文献１に記載のヘッドの構造では、ヘッドを記録媒体に接触させて情報を読み取るため、ヘッドが劣化が速く、記録情報の長期保存に適していない。また、特許文献２及び３に記載のヘッドは、カンチレバーを用いた構成であり、読み取り時に微小振動するカンチレバーが劣化する虞があり、記録情報の長期保存に適していない。特許
文献４に記載のヘッドの構造は、共振回路、発振回路及び検波回路を収納する筐体を設ける必要があり、ヘッドを支持する構成である導波管構造が大型化し、ハードディスク装置の携帯性向上を妨げる虞がある。また、共振回路、発振回路及び検波回路を筐体に収納し、さらに筐体を導波管構造に組み込んで、上記回路を電極針とリード線で接続する必要があるので、組み立てに工数がかかり、コストダウンが困難である。
【０００９】
本発明は、記録情報の長期保存に適し、携帯性が向上したハードディスク装置を安価に提供することを目的とする。
【課題を解決するための手段】
【００１０】
第１発明に係るハードディスク装置は、記録及び／又は再生装置によって読み取り可能な可搬または携帯可能な読み取り専用のハードディスク装置であって、ナノインプリントによる凹凸により情報が記録されたディスクと、搬送波を出力する発振回路と、前記搬送波が入力され、前記ディスクと間の静電容量を検出するための電極を含んで構成され前記静電容量に応じて共振周波数が変化することにより、前記搬送波をＡＭ変調してＡＭ変調波を出力する共振回路と、前記ＡＭ変調波を検波して前記静電容量を検出する検波回路とがストリップライン回路で表面に形成されたヘッドスライダと、前記記録及び／又は再生装置に設けられた１次側コイルとともにトランスを構成する２次側コイルと、前記２次側コイルからの電力を蓄積する充電式電池とを有する電源回路と、前記ヘッドスライダを所定の位置に移動させるアーム機構と、前記記録及び／又は再生装置に設けられた磁石と前記電源回路から供給される電流によって駆動され、前記アーム機構を駆動するＶＣＭコイルと、前記ディスクが固定され、前記記録及び／又は再生装置に設けられたスピンドルモータによって非接触で駆動されるスピンドルと、前記ディスクからの再生信号及びサーボ信号、前記ＶＣＭコイルへの駆動信号を前記記録及び／又は再生装置との間で送受信する通信部と、を備えたことを特徴とする。
【００１１】
このハードディスク装置では、静電容量を検出するための検出回路、即ち発振回路、共振回路及び検出回路をストリップライン回路でヘッドスライダの表面に形成するので、半導体微細加工プロセスによって検出回路とともにヘッドスライダを大量かつ安価に製造することができる。また、ヘッドスライダをアーム機構に取り付けるだけで簡易に組み立てることができる。また、電極を接触させたり、静電容量を検出するための電極を振動させる構成ではないため、長期の使用に耐え易く、記録情報の長期保存に適している。従って、記録情報の長期保存に適したハードディスク装置を安価に提供できる。
【００１２】
このハードディスク装置では、ＶＣＭコイルを駆動する磁石及びスピンドルモータが外部機器に配置されており、部品点数を低減でき、故障や交換の確率を大幅に低減できる。また、ＶＣＭコイルが外部と非接触で駆動され、スピンドルが外部のスピンドルモータにより非接触で回転されるため、部品の摩耗による劣化を防止できる。部品点数の低減及び部品の摩耗劣化の防止により、記録情報の長期保存に適したハードディスク装置を提供できる。
【００１３】
また、重量の重い磁石及びスピンドルモータが内蔵されないことにより、小型化及び軽量化を図ることができ、携帯性を向上させることができる。また、部品点数の低減によりコストダウンを図ることができる。
【００１４】
また、電源供給を非接触で受け、信号送受信を光通信又は無線高周波伝送で行うため、電源供給用及び信号送受信用のコネクタが省略され、さらに部品点数を低減できる。また、コネクタによる接続が省略されることにより、コネクタの摩耗による劣化も防止できる。
【００１５】
第２発明に係るハードディスク装置は、可搬または携帯可能な読み取り専用のハードデ
ィスク装置であって、ナノインプリントによる凹凸により情報が記録されたディスクと、搬送波を出力する発振回路と、前記搬送波が入力され、前記ディスクと間の静電容量を検出するための電極を含んで構成され前記静電容量に応じて共振周波数が変化することにより、前記搬送波をＡＭ変調してＡＭ変調波を出力する共振回路と、前記ＡＭ変調波を検波して前記静電容量を検出する検波回路とがストリップライン回路で表面に形成されたヘッドスライダと、前記ヘッドスライダを所定の位置に移動させるアーム機構と、前記アーム機構を駆動するＶＣＭコイルと、前記ディスクが固定され前記ディスクを回転させるスピンドルと、前記ＶＣＭコイルに電流を供給する電源回路と、を備えたことを特徴とする。
【００１６】
このハードディスク装置では、静電容量を検出するための検出回路、即ち発振回路、共振回路及び検出回路をストリップライン回路でヘッドスライダの表面に形成するので、半導体微細加工プロセスによって検出回路とともにヘッドスライダを大量かつ安価に製造することができる。また、ヘッドスライダをアーム機構に取り付けるだけで簡易に組み立てることができるので、ハードディスク装置を安価に製造することができる。また、静電容量を検出するための電極を振動させる構成ではないため、長期の使用に耐え易く、記録情報の長期保存に適している。また、ヘッドスライダ及び検出回路を一体に形成するので、小型化及び軽量化を図ることができ、ハードディスク装置の携帯性を向上できる。従って、記録情報の長期保存に適し、携帯性が向上したハードディスク装置を安価に提供できる。
【００１７】
第３発明に係るハードディスク装置は、第２発明に係るハードディスク装置において、前記ハードディスク装置は、記録及び／又は再生装置に装着可能であり、前記ＶＣＭコイルは、前記記録及び／又は再生装置に設けられた磁石による外部磁界と、前記電源回路から供給される電流とにより駆動されることを特徴とする。
【００１８】
このハードディスク装置では、ＶＣＭコイルを駆動する磁石が外部機器に配置されており、部品点数を低減できる。さらに、ＶＣＭコイルが外部機器と非接触で駆動されるため、部品の摩耗による劣化を防止できる。部品点数の低減及び部品の摩耗劣化の防止により、記録情報の長期保存に適したハードディスク装置を提供できる。
【００１９】
また、重量の重い磁石が内蔵されないことにより、小型化及び軽量化を図ることができ、携帯性を向上させることができる。また、部品点数の低減によりコストダウンを図ることができる。
【００２０】
第４発明に係るハードディスク装置は、第２又は第３発明に係るハードディスク装置において、前記スピンドルは、前記記録及び／又は再生装置に設けられたスピンドルモータによって非接触で駆動されることを特徴とする。
【００２１】
スピンドルモータを外部機器に設けるため部品点数をさらに低減できる。また、外部のスピンドルモータの回転を非接触でスピンドルに伝達するため、スピンドルモータの回転をスピンドルに伝達する伝達機構が摩耗により劣化することを防止できる。
【００２２】
また、スピンドルモータが内蔵されないことにより、小型化及び軽量化を図ることができ、携帯性を向上させることができる。また、部品点数の低減によりコストダウンを図ることができる。
【００２３】
第５発明に係るハードディスク装置は、第２乃至第４発明の何れかに係るハードディスク装置において、前記ディスクからの再生信号及びサーボ信号、前記ＶＣＭコイルへの駆動信号を前記記録及び／又は再生装置との間で送受信する通信部をさらに備え、前記電源回路は、前記記録及び／又は再生装置から非接触で電源の供給を受けることを特徴とする。
【００２４】
電源供給を非接触で受け、信号送受信を光通信又は無線高周波伝送で行うため、電源供
給用及び信号送受信用のコネクタが省略され、さらに部品点数を低減できる。また、コネクタによる接続が省略されることにより、コネクタの摩耗による劣化も防止できる。
【発明の効果】
【００２５】
本発明によれば、記録情報の長期保存に適し、かつ携帯性が向上したハードディスク装置を安価に提供することができる。
【発明を実施するための最良の形態】
【００２６】
図１は、本発明の一実施形態に係る携帯型のハードディスク装置１の全体概略構成を示す断面図である。このハードディスク装置は、後述するディスク３、スピンドル７等の部品が略直方体形状の筐体２に実装されたものである。
【００２７】
このハードディスク装置１は、読み取り専用のハードディスク装置であり、記録及び／又は再生装置１００（以下、記録再生装置１００と称す）に装着されて記録情報が読み出される。
【００２８】
ハードディスク装置１は、ディスク３と、ディスク３の情報を読み取るヘッドスライダ４と、ヘッドスライダ４を所定の位置に移動させるアーム機構５と、アーム機構５を駆動するＶＣＭ（Voice Coil Motor）コイル６（以下、ＶＣＭコイル６と称す）と、ディスク３を保持するスピンドル７と、記録再生装置１００との間で光通信又は無線高周波伝送により信号を送受信する通信部８と、各部に電源を供給する電源回路９とを備えている。
【００２９】
記録再生装置１００は、ＶＣＭコイル６を貫く外部磁界を発生させるＶＣＭマグネット１０１と、スピンドル７を非接触で回転させるスピンドルモータ１０６と、通信部８と光通信又は無線高周波伝送によりデータを送受信する通信部１０９と、通信部１０９で受信した再生信号及びサーボ信号を処理する信号処理回路１２０と、電源回路９に非接触で電源を供給する電源供給回路１１０とを備えている。
【００３０】
ディスク３は、ナノインプリントによって凹凸が形成されることにより、情報が高速に転写された記録媒体である。ディスク３は、読み取り専用のＲＯＭとして使用される。ディスク３の直径は、携帯型ハードディスクに適した３．５インチ，２．５インチ，１．８インチ，１．０インチ，０．８インチ等である。ナノインプリントによる高速転写によれば、映画等の膨大な映像データを安価かつ高速にディスク３に記録できる。また、光記録再生技術では面記録密度が１８Ｇｂｐｓｉ止まりであるが、ハードディスク関連技術では面記録密度１００〜５００Ｇｂｐｓｉまで達成できる。従って、ディスク３の記憶容量は、ＤＶＤ（Digital Versatile Disc）、ブルーレイディスク（Blu-ray Disk）等の光ディスクと比較して膨大であり、光ディスクよりも多くの情報を記録することができる。
【００３１】
図５は、ヘッドスライダ４の構成を示す図であり、同図（ａ）はヘッドスライダ４の斜視図、同図（ｂ）はスライダ本体４ａに形成されたマイクロストリップライン回路４３の等価回路である。
【００３２】
ヘッドスライダ４は、図５（ａ）に示すように、スライダ本体４０と、スライダ本体４０に形成されたマイクロストリップライン回路（検出回路）４３とを備えている。スライダ本体４０は、図５（ａ）に示すように、略直方体形状の後方下側部分が一部切り落とされた構造である。ヘッドスライダ本体４０の寸法は、例えば同図（ａ）に示すように、縦０．３ｍｍ，横０．５ｍｍ，高さ０．２〜０．３ｍｍである。
【００３３】
マイクロストリップライン回路４３は、スライダ本体４０の側面４２に形成されている。ヘッドスライダ４は、シリコンウエハを半導体微細加工プロセスを用いて形成する。具体的には、シリコンウエハ表面に露出する側面４２にハフニウム等で配線や素子を多層形成するとによりマイクロストリップライン回路４３を形成し、シリコンウエハをダイシン
グして個片化する。マイクロストリップライン回路４３の出力（後述するキャパシタＣ３からの出力を取り出す配線は、側面４３のパターンから内側の配線に取り出され、スライダ本体４０の上面からアーム５３の先端部（ヘッドサスペンションのジンバル）に取り出す。アーム５３の先端部に取り出された出力は、アーム５３に設けられた配線、プリアンプを介して通信部８に伝達される。
【００３４】
マイクロストリップライン回路４３は、図５（ａ），（ｂ）に示すように、発振器ＯＳＣ及びインダクタＬ１からなる発振回路４４と、インダクタＬ２，キャパシタＣ１，Ｃ２とからなる共振回路４５と、インダクタＬ３，ダイオードＤ１，キャパシタＣ３とからなる検波回路４６とを備えている。ここで、共振回路４５のキャパシタＣ２は、電極Ｐとディスク３との間の静電容量であり、ディスク３上の凹凸パターンによって変化する。また、グランドパターンＧＮＤが側面４２上に略コ字形状に形成されており、電極Ｐはスライダ本体４０の前面４１近傍において下面に向かって延びている。電極Ｐを前面４１近傍の下面に延びるように形成するのは、ディスク３からの情報の読み取り時に、スライダ本体４０の前面４１側の下面がディスク３の表面に最も接近するからである。ヘッドスライダ４の前面４１の下端部は、例えば十数ｎｍ以下の間隔までディスク３の表面に接近して非接触で記録情報（静電容量）を読み取る。
【００３５】
発振回路４４では、発振器ＯＳＣが１ＧＨｚの搬送波を出力し、搬送波がインダクタＬ１を介してインダクタＬ２に出力される。共振回路４５は、１．１ＧＨｚ付近の共振周波数で共振し、電極Ｐとディスク３との間の静電容量Ｃ２の変化によって共振周波数が変動する。共振回路４５は、インダクタＬ２に入力された搬送波を静電容量Ｃ２の変化によってＡＭ変調して、インダクタＬ２を介してインダクタＬ３に出力する。検波回路４６では、インダクタＬ３に入力されたＡＭ変調波をダイオードＤ１及びキャパシタＣ２によってスロープ検波して、キャパシタＣ２を検出する。即ち、マイクロストリップ回路４３は、電極Ｐ２とディスク３との間の静電容量Ｃ２の変化に応じて搬送波をＡＭ変調し、ＡＭ変調波をスロ―プ検波して静電容量Ｃ２（記録情報）を検出する。
【００３６】
なお、図６に示すように、マイクロストリップライン回路４３の各素子Ｃ１，Ｃ３，Ｄ１等にマイクロチップ部品を用いる場合には、キャパシタＣ３からの出力を外部に取り出すための絶縁チップＰＰを用いる。絶縁チップＰＰは、キャパシタＣ３とダイオードＤ１との間の配線と導通しつつ、上方にあるＧＮＤのラインとは絶縁された状態で固定され、キャパシタＣ３の出力をアーム５３の先端部（ヘッドサスペンションのジンバル）に取り出す。アーム５３の先端部に取り出された出力は、アーム５３に設けられた配線、プリアンプを介して通信部８に伝達される。
【００３７】
このようなマイクロストリップ回路４３によれば、ディスク３上の凹凸によって変化する静電容量Ｃ２を検出することにより、ディスク３の記録情報を読み出すことができる。
【００３８】
アーム機構５は、図２に示すように、筐体２の底面に固定された軸受けユニット５１と、軸受けユニット５１に挿入される回転部５２と、先端にヘッドスライダ４が装着されたアーム５３とを主に備え、これらがワッシャ５４及びナット５５により固定されている。回転部５２は、軸受けユニット５１に回転自在に支持されており、その外方側（ヘッドスライダ４と反対側）にＶＣＭコイル６が装着されている。また、アーム機構５には、図示しないＦＰＣ(Flexible Printed Circuit)が設けられている。ＦＰＣは、ヘッドスライダ４のマイクロストリップライン回路４３をプリアンプを介して通信部８に接続している。また、ＦＰＣは、ＶＣＭコイル６に駆動電流を供給する。
【００３９】
ＶＣＭコイル６は、上述したように、アーム機構５の回転部５の外方側に取り付けられている。ＶＣＭコイル６の回転により、アーム機構５のアーム５３及びヘッドスライダ４の位置が制御される。ハードディスク装置１が記録再生装置１００に装着されたとき、図
１及び図３に示すように、ＶＣＭマグネット１０１は、ＶＣＭコイル６を両側から挟み込むように配置されている。図３では筐体２を省略しているが、ＶＣＭマグネット１０１は、図１に示すように、筐体２の外部、即ち記録再生装置１００に設けられており、筐体２を介してＶＣＭコイル６を貫く外部磁界を発生させる。また、ＶＣＭコイル６には、図示しないＶＣＭドライバから駆動電流が供給される。ＶＣＭドライバは、電源回路９から電源を供給され、通信部８から受信する駆動信号に基づいて駆動電流を出力する。
【００４０】
ＶＣＭマグネット１０１による外部磁界中にＶＣＭコイル６が配置された状態で、ＶＣＭコイル６に駆動電流を流すと、ＶＣＭコイル６を図３のθ方向に回転させる回転推進力が発生する。ＶＣＭマグネット１０１は、ＶＣＭコイル６を挟んで配置される磁石１０２及び１０３と、磁石１０２及び１０３の磁束が必要な部分に集中するように規制するヨーク１０４及び１０５とから構成されている。
【００４１】
スピンドル７は、樹脂等で形成されており、図４（ａ）に示すように、筐体２の底面に設けられた軸受け１０に回転自在に支持されている。スピンドル７の下面には円板状の磁性材７０が設けられており、磁性材７０の外周部には複数の突起部７１が等間隔で配置されている。スピンドル７には、ディスク３が挿入されて固定されている。
【００４２】
ハードディスク装置１が記録再生装置１００に装着されると、スピンドル７の下方には筐体２の底面を介して磁性回転板１０８が配置される。磁性回転板１０８の上面中央部には凸部１０８ａが設けられており、この凸部１０８ａが軸受け１０の凹部１０ａに回転自在に嵌合して、軸受け１０と磁性回転板１０８との中心の位置合わせが行われる。磁性回転板１０８は、スピンドルモータ１０６の回転軸に固定されており、スピンドルモータ１０６によって回転される。磁性回転板１０８は、スピンドル７の突起部７１と略同一形状、同間隔で配置された複数の磁石１１１と、円板状のヨーク１１２から構成されている。ヨーク１１２には各磁石１１１を保持するためのリブが形成されている。磁性回転板１０８の磁石１１１と、スピンドル７の突起部７１との磁気的な結合によって、スピンドルモータ６の回転が突起部７１を介してスピンドル７に伝達される。即ち、スピンドルモータ１０６の回転が磁性回転板１０８に伝達され、磁性回転板１０８の回転が磁力により非接触でスピンドル７に伝達されることにより、ディスク３が回転される。
【００４３】
電源回路９は、記録再生装置１００の電源供給回路１１０に設けられた１次側コイル１１０ａとともにトランスを構成して１次側コイル１０１ａから電力の供給を受ける２次側コイル９１と、２次側コイル９１で受けた電力を蓄積する蓄電式電池９２とを備えている。また、電源回路９は、２次側コイル９１で発生する交流電圧を整流するダイオード等を備えている。蓄電式電池９２は、電気二重層コンデンサ、アルミ電解コンデンサ、タンタルコンデンサ等の小型で高容量のものを用いることが好ましい。電源回路９は、コネクタやゲーブル等を介さずに非接触で筐体２外部から電力の供給を受けるので、ハードディスク装置１への電源供給のためにコネクタやケーブルを設ける必要がない。
【００４４】
通信部８は、記録再生装置１００の通信部１０９との間で、光通信又は無線高周波伝送により信号を送受信する。通信部８は、ヘッドスライダ４からプリアンプを通って出力された再生信号及びサーボ信号を通信部１０９に送信する。また、通信部８は、ＶＣＭコイル６への駆動信号を通信部１０９から受信する。
【００４５】
〔作用〕
本実施形態のハードディスク装置１では、スピンドル７が磁性回転板１０８を介してスピンドルモータ１０６により非接触で回転されるとともに、筐体外部に配置されたＶＣＭマグネット１０１によってＶＣＭコイル１０５が非接触で駆動される。また、ヘッドスライダ４のマイクロストリップ回路４３によりディスク３の記録情報（凹凸）が静電容量Ｃ２（再生信号及びサーボ信号）として検出される。再生信号及びサーボ信号は、通信部８から記録再生装置１００に光通信又は無線高周波伝送で送信される。記録再生装置１００
では、再生信号及びサーボ信号は、通信部１０９で受信された後、信号処理回路１２０で処理される。
【００４６】
〔効果〕
本実施形態のハードディスク装置１では、静電容量Ｃ２を検出するための検出回路４３、即ち発振回路４４、共振回路４５及び検出回路４６をストリップライン回路４３でヘッドスライダの表面に形成するので、半導体微細加工プロセスによって検出回路４３とともにヘッドスライダ４を大量かつ安価に製造することができる。また、ヘッドスライダ４をアーム機構５に取り付けるだけで簡易に組み立てることができる。また、静電容量Ｃ２を検出するための電極Ｐを振動させる構成ではないため、長期の使用に耐え易く、記録情報の長期保存に適している。従って、記録情報の長期保存に適したハードディスク装置１を安価に提供できる。
【００４７】
また、本実施形態のハードディスク装置１では、ＶＣＭマグネット１０１及びスピンドルモータ１０６が外部の記録再生装置１００に配置されており、部品点数を低減でき、故障や交換の確率を大幅に低減できる。また、ＶＣＭコイル６が外部の記録再生装置１００と非接触で駆動され、スピンドル７が外部のスピンドルモータ１０６により非接触で回転されるため、部品の摩耗による劣化を防止できる。部品点数の低減及び部品の摩耗劣化の防止により、記録情報の長期保存に適したハードディスク装置を提供できる。
【００４８】
また、重量の重いＶＣＭマグネット１０１及びスピンドルモータ１０６が内蔵されないことにより、小型化及び軽量化を図ることができ、携帯性を向上させることができる。また、部品点数の低減によりコストダウンを図ることができる。
【００４９】
また、電源回路９が電源供給を非接触で受け、通信部８が信号送受信を光通信又は無線高周波伝送で行うため、電源供給用及び信号送受信用のコネクタが省略され、さらに部品点数を低減できる。また、コネクタによる接続が省略されることにより、コネクタの摩耗による劣化も防止できる。
【００５０】
また、本実施形態の携帯型のハードディスク装置１は光ディスクと類似した携帯性を備えており、光ディスクよりも大量のデータを記録でき、大量のデータを安価に記録することに適した記録メディアである。このハードディスク装置１は、ＤＶＤソフト等の既存の記録メディアよりも多くの映像ソフトのタイトルを記録可能であり、映像ソフトの記録に適している。映像ソフトのように再生専用の情報を記録する場合には、ハードディスク装置は読み取り専用で良いので、ヘッドスライダ４を読み取りヘッドのみから構成して簡略化できる。
【００５１】
〔他の実施形態〕
上記実施形態では、ハードディスク装置１を読み取り専用として、ディスク３を読み取り専用のＲＯＭとして構成したが、図７に示すように、ディスク３にＲＯＭ領域３０２とＲＡＭ領域３０３とを設けても良い。同図（ａ）は、ＲＯＭ領域３０２を内側（開口部３０１側）に設け、ＲＡＭ領域を外側に設けた例である。同図（ｂ）は、ＲＡＭ領域３０３を内側に設け、ＲＯＭ領域３０２を外側に設けた例である。
【００５２】
ハードディスク装置１を記録再生用として構成する場合、上記実施形態においてヘッドスライダ４を読み取りヘッド及び書き込みヘッドから構成し、通信部８が記録再生装置１００の通信部１０９から書き込みデータを受信するようにする。
【００５３】
本実施形態のように、ディスク３にＲＡＭ領域３０３を設ければ、映像ソフト等をＲＯＭ領域３０２に記録してユーザに提供できるとともに、膨大な量のデータを管理するための情報、例えば映像ソフトの各タイトルのタイトル名等をユーザが書き込むことが可能になる。
【図面の簡単な説明】
【００５４】
【図１】本実施形態に係るハードディスク装置及び記録及び／又は再生装置の概略構成を示す断面図。
【図２】アーム機構の構成図。
【図３】ＶＣＭコイル及びＶＣＭマグネットの配置を示す図。
【図４】スピンドル及びスピンドルモータの配置を示す図。
【図５】ヘッドスライダの構成。
【図６】ヘッドスライダの構成。
【図７】ディスクにおけるＲＡＭ領域及びＲＯＭ領域の配置例。
【符号の説明】
【００５５】
１  ハードディスク装置
２  筐体
３  ディスク
４  ヘッドスライダ
５  アーム機構
６  ＶＣＭコイル
７  スピンドル
８  通信部
９  電源回路
１０  軸受け
１０ａ  凹部
４０  スライダ本体
４１  前面
４２  側面
４３  マイクロストリップライン
４４  発振回路
４５  共振回路
４６  検波回路
５１  軸受けユニット
５２  回転部
５３  アーム
５４  ワッシャ
５５  ナット
７０  磁性回転板
７１  突起
９１  ２次側コイル
９２  充電式電池
１００  記録再生装置
１０１  ＶＣＭマグネット
１０２，１０３  磁石
１０４，１０５  ヨーク
１０６  スピンドルモータ
１０８  磁性回転板
１１０  電源供給回路
１１１  磁石
１１２  ヨーク
【図１】
2006024318.tif 000003
【図２】
2006024318.tif 000004
【図３】
2006024318.tif 000005
【図４】
2006024318.tif 000006
【図５】
2006024318.tif 000007
【図６】
2006024318.tif 000008
【図７】
2006024318.tif 000009